(57)【要約】【課題】画像記録中のシートに波形状をつける構成において、シートの端部がインクを吐出する記録部に当接することを抑制するインクジェット記録装置を提供する。【解決手段】複合機１０は、記録用紙３５を搬送向きに搬送する第１搬送ローラ６０と、搬送される記録用紙３５を支持するプラテン４２と、記録用紙３５の表面にインクを吐出する記録部２４と、搬送向きにおけるノズルと第１ローラ部５８との間で記録用紙３５の表面に当接し、上記搬送向きと交差する左右方向９において離間されて複数設けられる押さえ部材９０と、記録用紙３５の左右方向９の端部の位置である端部位置を検知するメディアセンサ１７と、端部位置が、複数の押さえ部材９０の間に位置する場合、少なくとも第１搬送ローラ６０及び記録部２４の一方を制御して、記録部２４と記録用紙３５との当接を抑制する抑制動作制御を実行する制御部１３０と、を備える。【選択図】図８
2014028483.tif 000002
【特許請求の範囲】
【請求項１】
シートを搬送向きに搬送する搬送部と、
上記搬送部によって搬送されるシートを支持するプラテンと、
上記プラテンに支持されるシートの表面にノズルからインクを吐出する記録部と、
上記搬送向きにおける上記ノズルと上記搬送部との間でシートの表面に当接し、上記搬送向きと交差する幅方向において離間されて複数設けられる当接部材と、
シートの上記幅方向の端部の位置である端部位置を検知する端部位置検知手段と、
上記端部位置検知手段によって検知された上記端部位置が、上記当接部材の間に位置する場合、少なくとも上記搬送部及び上記記録部の一方を制御して、上記記録部とシートとの当接を抑制する抑制動作を実行する制御部と、を備えるインクジェット記録装置。
【請求項２】
上記制御部は、シートの上記端部の位置が、シートの上記端部と当接する上記当接部材から所定距離以上離れている所に位置する場合に、上記抑制動作を実行する請求項１に記載のインクジェット記録装置。
【請求項３】
上記当接部材がシートの表面に当接する当接位置は、上記搬送向き及び上記幅方向に交差する交差方向において、上記ノズルより上記プラテン側に位置しており、
上記シートの上記端部に当接する上記当接部材と上記シートの上記端部との上記幅方向に離間する距離が、上記ノズルと上記当接位置とが上記交差方向に離間する最短距離よりも長い場合に、上記制御部が上記抑制動作を実行する請求項１に記載のインクジェット記録装置。
【請求項４】
上記プラテンに配置され、上記搬送向きに沿って伸び、上記幅方向において複数の上記当接部材の間に位置し、且つシートの裏面に当接するリブを備え、
上記制御部は、上記端部の位置が、上記端部と当接する上記リブと、上記端部と当接せず且つ上記端部に最も近い上記当接部材との間に位置する場合に、上記抑制動作を実行する請求項１に記載のインクジェット記録装置。
【請求項５】
上記交差方向において、上記リブとシートは、上記当接部材とシートとの当接位置よりも、上記記録部側にて当接する請求項４に記載のインクジェット記録装置。
【請求項６】
上記幅方向における所定領域を記憶する領域記憶部を備え、
上記制御部は、上記端部位置検知手段によって検知されるシートの一方の上記端部位置が上記領域記憶部が記憶する所定領域に位置している場合に、上記抑制動作を実行し、
上記所定領域は、当該所定領域にシートの上記端部が位置するときに、シートと当接する全ての上記当接部材及び上記リブのうち、当該シートの上記端部との距離が最短のものが上記リブとなる領域である請求項４又は５に記載のインクジェット記録装置。
【請求項７】
上記幅方向における上記当接部材及び上記リブの位置を記憶する位置記憶部を備え、
上記制御部は、上記端部位置検知手段によって検知されたシートの上記端部位置と、位置記憶部に記憶される上記当接部材及び上記リブの位置とを比較し、シートと当接する全ての上記当接部材及び上記リブのうち、当該シートの上記端部との距離が最短のものが上記リブである場合に、上記抑制動作を実行する請求項４又は５に記載のインクジェット記録装置。
【請求項８】
シートを搬送向きに搬送する搬送部と
上記搬送部によって搬送されるシートを支持するプラテンと、
上記プラテンに支持されるシートの表面に向けて、ノズルからインクを吐出して画像を記録する記録部と、
上記ノズルより上記搬送向きにおける上流側、且つ上記搬送向きと交差する幅方向において離間されて複数設けられて、シートの表面に当接する当接部材と、
上記プラテンに搬送されるシートの浮きを検知する浮き検知手段と、
上記浮き検知手段によってシートが浮いていることが検知されると、少なくとも上記搬送部及び上記記録部の一方を制御して、上記記録部とシートとの当接を抑制する抑制動作を実行する制御部と、を備えるインクジェット記録装置。
【請求項９】
上記制御部は、上記シートが普通紙である場合に、上記抑制動作を実行する請求項１から８のいずれかに記載のインクジェット記録装置。
【請求項１０】
上記搬送部は、
上記記録部よりも上記搬送向きの上流側に配置されシートを挟持して搬送する上流側挟持手段と、上記記録部よりも上記搬送向きの下流側に配置されシートを挟持して搬送する下流側挟持手段と、を有しており、
上記制御部は、上記上流側挟持手段のみ、又は上記下流側挟持手段のみにシートが挟持される場合に、上記抑制動作を実行する請求項１から９のいずれかに記載のインクジェット記録装置。
【請求項１１】
上記制御部は、上記抑制動作として、少なくとも上記搬送部及び上記記録部の一方の動作を禁止する禁止動作を含む請求項１から１０のいずれかに記載のインクジェット記録装置。
【請求項１２】
上記制御部は、上記抑制動作として、所定の量より少ないインク量で上記記録部よりインクを吐出してシートに画像を記録、又は所定の速度よりも遅い速度で少なくとも上記記録部及び上記搬送部の一方を制御してシートに画像を記録する非禁止動作を含む請求項１から１０のいずれかに記載のインクジェット記録装置。
【請求項１３】
搬送されたシートが排出されるトレイと、
ユーザが操作することで操作信号を発する操作部と、をさらに備え、
上記禁止動作を実行した後、上記操作部から上記操作信号が発せられた場合、上記制御部は、上記搬送部を稼働させてシートを上記トレイへ排出する請求項１１に記載のインクジェット記録装置。
【請求項１４】
搬送されたシートが排出されるトレイと、
ユーザが操作することで第１操作信号及び第２操作信号を発する操作部と、をさらに備え、
上記制御部は、
上記抑制動作として、所定量より少ないインク量で上記記録部よりインクを吐出してシートに画像を記録、又は所定速度よりも遅い速度で少なくとも上記記録部及び上記搬送部の一方を制御してシートに画像を記録する非禁止動作を実行し、上記禁止動作を実行した後、上記操作部から上記第１操作信号が発せられた場合、上記搬送部を稼働させてシートを上記トレイへ排出し、上記操作部から上記第２操作信号が発せられた場合、上記非禁止動作を実行する請求項１１に記載のインクジェット記録装置。
【請求項１５】
上記制御部は、記録される画像を示す画像データに基づいて、シートに吐出されるインクの量を算出するインク算出制御をさらに実行し、
上記制御部は、
上記禁止動作を実行した後、上記操作部から上記第２操作信号が発せられた場合であり、且つ上記インクの量が所定の閾値を超える場合は、上記非禁止動作を実行する請求項１４に記載のインクジェット記録装置。
【請求項１６】
上記インク算出制御において算出されるインクの量が、上記シートの端部から上記幅方向の内側の端部内側領域に吐出されるインクの総量である請求項１５に記載の画像記録装置。
【請求項１７】
上記制御部は、上記抑制動作が実行されないときに、通常記録動作を実行し、
上記通常記録動作として、上記搬送部を制御して、シートを第１速度で搬送し、
上記非禁止動作として、上記搬送部を制御して、シートを上記第１速度よりも小さい第２速度で搬送する請求項１２又は１４に記載のインクジェット記録装置。
【請求項１８】
上記記録部は、上記幅方向に移動しながらインクを吐出可能であり、
上記制御部は、上記抑制動作が実行されないときに、通常記録動作を実行し、
上記通常記録動作として、上記記録部を制御して、上記記録部を第１移動速度で移動し、
上記非禁止動作として、上記記録部を制御して、上記記録部を上記第１移動速度よりも小さい第２移動速度で移動する請求項１２又は１４に記載のインクジェット記録装置。
【請求項１９】
上記搬送部は、
上記記録部よりも上記搬送向きの下流側に配置されたローラと、
上記ローラとによってシートを挟持する従動ローラと、を有しており、
上記記録部は、上記幅方向に移動しながら、インクを吐出可能であり、
上記制御部は、上記搬送部に、上記シートを上記搬送向きの下流側に搬送して当該シートを停止させる搬送制御と、上記記録部を上記幅方向に移動させつつ、停止しているシートにインクを吐出する吐出制御と、を交互に繰り返して実行するものであり、
さらに、上記制御部は、上記非禁止動作として、シートを第１搬送速度で搬送し、上記吐出制御後の上記搬送制御中にシートの上記搬送向きの下流端が上記ローラと上記従動ローラとの挟持位置を通過する際に、上記搬送制御において上記シートを第１搬送速度より低い第２搬送速度で搬送する請求項１２又は１４に記載のインクジェット記録装置。
【請求項２０】
上記記録部は、上記幅方向に移動しながら、インクを吐出可能であり、
上記制御部は、上記搬送部に、上記シートを上記搬送向きの下流側に搬送させて当該シートを停止させる搬送制御と、上記記録部を上記幅方向に移動させつつ、停止しているシートにインクを吐出する吐出制御と、を繰り返して実行するものであり、
さらに、上記制御部は、上記抑制動作が実行されないときに、通常記録動作を実行し、
上記通常記録動作において、上記吐出制御におけるインクの吐出の終了時点から、次に実行される上記吐出制御における上記記録部の移動開始までの待機時間を第１時間とし、
上記非禁止動作において、上記吐出制御の終了時点から、次に実行される上記搬送制御後における上記記録部の移動開始までの待機時間を第１時間よりも長い第２時間とする請求項１２又は１４に記載のインクジェット記録装置。
【請求項２１】
上記端部位置検知手段は、上記記録部に設けられ、シートに向けて光を照射する発光部及びシートからの反射光を受光する受光部を有する光学センサを備え、上記受光部の受光量が所定値よりも大きい位置を、シートの上記端部位置として検知する請求項１に記載のインクジェット記録装置。
【請求項２２】
上記浮き検知手段は、上記記録部に設けられ、シートの上記端部に向けて光を照射する発光部及びシートからの反射光を受光する受光部を有する光学センサを備え、上記プラテンと上記シートの端部とが離間した距離に応じて変化する上記受光部の受光量が所定の閾値よりも大きい場合に、シートが浮いていることを検知する請求項８に記載のインクジェット記録装置。
【請求項２３】
シートを挟持して搬送向きに搬送する搬送部と、
上記搬送向きと交差する幅方向に往復移動し、搬送されるシートの表面に向けて、インクを吐出する複数のノズルを有した記録部と、
上記複数のノズルよりも搬送向き上流側、且つ上記幅方向における複数の位置において、上記搬送部に搬送されるシートの表面に当接し、シートの上記幅方向の端部位置が所定範囲内に位置する場合にシートの端部と当接する第１当接部と、
上記第１当接部が搬送されるシートの表面に当接する位置とは上記幅方向において異なる位置であって、上記幅方向に離間された複数の位置において、搬送されるシートの裏面に当接する第２当接部と、
上記記録部に搭載された光学センサを用いて上記幅方向におけるシートの上記端部位置を検知する端部位置検知手段と、
上記端部位置検知手段によって検知されたシートの上記端部位置が上記所定範囲内にある場合は、上記搬送部及び上記記録部を制御して、搬送されるシートに画像記録を実行し、上記所定範囲外にある場合は画像記録を禁止する制御部と、を備えるインクジェット記録装置。
【発明の詳細な説明】
【技術分野】
【０００１】
本発明は、シートにインクを吐出して画像を記録するインクジェット記録装置に関する。
【背景技術】
【０００２】
従来より、プラテンに支持されているシートに記録ヘッドがインクを吐出して画像を記録するインクジェット記録装置が知られている。インクジェット記録装置では、吐出されたインクによってシートがプラテンから浮くことがある。このシートの浮きを抑制するための機構が特許文献１に記載されている。
【０００３】
特許文献１には、搬送方向と交差する方向（以下、幅方向とする。）に記録媒体を凹凸形状にする機構が記載されている。この機構は、具体的には、紙押え板の突起が幅方向に複数用意され、プラテンのリブが幅方向に複数用意されている。そして、複数の突起が記録媒体（シートに相当）の表面に、プラテンの複数のリブが記録媒体の裏面に、それぞれ当接することで、記録媒体を凹凸形状にさせる。そして、上記機構によって凹凸形状に形成される記録媒体は剛性が増すことで、浮きが抑制される。
【０００４】
また、一般的なインクジェット記録装置は、シートが載置されるトレイを有している。トレイに載置されるシートは、当該シートの幅方向の端部又は中央を基準として位置合わせされる。シートは、幅方向の位置を維持した状態でプラテンまで搬送される。
【先行技術文献】
【特許文献】
【０００５】
【特許文献１】特開平９−４８１６１号公報
【発明の概要】
【発明が解決しようとする課題】
【０００６】
トレイに載置されたシートが、位置合わせされるべき位置から幅方向へずれていたり、又は、ユーザによって正確に位置合わせされていないことがある。トレイに載置されるシートが正確に位置合わせされていない場合、シートは、本来の位置から幅方向へずれた状態でプラテン上を搬送されることになる。
【０００７】
特許文献１に記載された機構では、紙押え板の突起と、プラテンのリブとが幅方向に交互に配置されている。このような構成では、記録媒体が本来の位置から幅方向へずれると、幅方向における記録媒体の端部（以下、側端部と称する）が浮きやすくなることがある。一例を挙げて説明すると、側端部が、幅方向においてプラテンのリブと紙押え板の突起との間に位置する場合、側端部は、記録媒体に形成される波の振幅がプラテンから記録ヘッドへ向かう位置にある。このような側端部の位置では、側端部が記録ヘッドへ向けてカールしてプラテンから浮きやすくなる。すると、プラテンから浮いた記録媒体の側端部が、記録ヘッドと当接してしまうという虞が発生する。
【０００８】
本発明は、上記問題に鑑みてなされたものであり、その目的は、画像記録中のシートに波形状をつける構成において、シートの端部がインクを吐出する記録部に当接することを抑制するインクジェット記録装置を提供することにある。
【課題を解決するための手段】
【０００９】
(1)  本発明に係るインクジェット記録装置は、シートを搬送向きに搬送する搬送部と、上記搬送部によって搬送されるシートを支持するプラテンと、上記プラテンに支持されるシートの表面にノズルからインクを吐出する記録部と、上記搬送向きにおける上記ノズルと上記搬送部との間でシートの表面に当接し、上記搬送向きと交差する幅方向において離間されて複数設けられる当接部材と、シートの上記幅方向の端部の位置である端部位置を検知する端部位置検知手段と、上記端部位置検知手段によって検知された上記端部位置が、上記当接部材の間に位置する場合、少なくとも上記搬送部及び上記記録部の一方を制御して、上記記録部とシートとの当接を抑制する抑制動作を実行する制御部と、を備える。
【００１０】
本構成では、端部位置検知手段によって検知された端部位置が、複数の当接部材の間に位置する場合、抑制動作が実行されて、記録部とシートとの当接が抑制される。
【００１１】
(2)  上記制御部は、シートの上記端部の位置が、シートの上記端部と当接する上記当接部材から所定距離以上離れている所に位置する場合に、上記抑制動作を実行してもよい。
【００１２】
本構成では、シートの端部の位置が、当接部材から所定距離以上離れている所に位置する場合に、抑制動作が実行される。つまり、シートの端部が記録部と特に当接しやすい場合に抑制動作が実行される 。
【００１３】
(3)  上記当接部材がシートの表面に当接する当接位置は、上記搬送向き及び上記幅方向に交差する交差方向において、上記ノズルより上記プラテン側に位置しており、上記シートの上記端部に当接する上記当接部材と上記シートの上記端部との上記幅方向に離間する距離が、上記ノズルと上記当接位置とが上記交差方向に離間する最短距離よりも長い場合に、上記制御部が上記抑制動作を実行してもよい。
【００１４】
本構成では、シートの端部が記録部に当接する可能性がある位置に、当該シートの端部が位置している場合に抑制動作が実行される。
【００１５】
(4)  本発明に係るインクジェット記録装置は、上記プラテンに配置され、上記搬送向きに沿って伸び、上記幅方向において複数の上記当接部材の間に位置し、且つシートの裏面に当接するリブをさらに備え、上記制御部は、上記端部の位置が、上記端部と当接する上記リブと、上記端部と当接せず且つ上記端部に最も近い上記当接部材との間に位置する場合に、上記抑制動作を実行してもよい。
【００１６】
本構成では、シートの端部の位置が、端部と当接するリブと、端部と当接せず且つ端部に最も近い当接部材との間に位置する場合に、抑制動作が実行される。つまり、端部が記録部と当接しやすい場合に抑制動作が実行される。
【００１７】
(5)  上記交差方向において、上記リブとシートは、上記当接部材とシートとの当接位置よりも、上記記録部側にて当接してもよい。
【００１８】
(6)  本発明に係るインクジェット記録装置は、上記幅方向における所定領域を記憶する領域記憶部を備えている。上記制御部は、上記端部位置検知手段によって検知されるシートの一方の上記端部位置が上記領域記憶部が記憶する所定領域に位置している場合に、上記抑制動作を実行し、上記所定領域は、当該所定領域にシートの上記端部が位置するときに、シートと当接する全ての上記当接部材及び上記リブのうち、当該シートの上記端部との距離が最短のものが上記リブとなる領域である。
【００１９】
本構成では制御部は、シートの端部が所定領域に位置することに基づいて、抑制動作を実行する。これにより、制御部による処理が容易に行われる。
【００２０】
(7)  本発明に係るインクジェット記録装置は、上記幅方向における上記当接部材及び上記リブの位置を記憶する位置記憶部を備えている。上記制御部は、上記端部位置検知手段によって検知されたシートの上記端部位置と、位置記憶部に記憶される上記当接部材及び上記リブの位置とを比較し、シートと当接する全ての上記当接部材及び上記リブのうち、当該シートの上記端部との距離が最短のものが上記リブである場合に、上記抑制動作を実行してもよい。
【００２１】
本構成では、制御部が、幅方向における当接部材及びリブの位置をそれぞれ記憶しており、それらとシートの端部の位置との比較に基づいて、抑制動作を実行する。
【００２２】
(8)  本発明に係るインクジェット記録装置は、シートを搬送向きに搬送する搬送部と上記搬送部によって搬送されるシートを支持するプラテンと、上記プラテンに支持されるシートの表面に向けて、ノズルからインクを吐出して画像を記録する記録部と、上記ノズルより上記搬送向きにおける上流側、且つ上記搬送向きと交差する幅方向において離間されて複数設けられて、シートの表面に当接する当接部材と、上記プラテンに搬送されるシートの浮きを検知する浮き検知手段と、上記浮き検知手段によってシートが浮いていることが検知されると、少なくとも上記搬送部及び上記記録部の一方を制御して、上記記録部とシートとの当接を抑制する抑制動作を実行する制御部と、を備えている。
【００２３】
本構成では、浮き検知手段によってシートが浮いていることが検知されると、抑制動作が実行され、記録部とシートとの当接が抑制される。
【００２４】
(9)  上記制御部は、普通紙である場合に上記抑制動作を実行してもよい。これは、例えば、普通紙は、光沢紙やインクジェット紙と比べて剛性が劣るため、普通紙の端部は、光沢紙やインクジェット紙と比べると記録部と当接しやすいためである。
【００２５】
(10)  上記搬送部は、上記記録部よりも上記搬送向きの上流側に配置されシートを挟持して搬送する上流側挟持手段と、上記記録部よりも上記搬送向きの下流側に配置されシートを挟持して搬送する下流側挟持手段と、を有しており、上記制御部は、上記上流側挟持手段のみ、又は上記下流側挟持手段のみにシートが挟持される場合に、上記抑制動作を実行してもよい。
【００２６】
上流側挟持手段のみ、又は下流側挟持手段のみにシートが挟持される場合、シートは特に浮きやすい。本構成では、そのような場合に上記抑制動作が実行され、端部が記録部と当接しやすい場合に抑制動作が実行される。
【００２７】
(11)  上記制御部は、上記抑制動作として、少なくとも上記搬送部及び上記記録部の一方の動作を禁止する禁止動作を含んでいてもよい。
【００２８】
本構成では、禁止動作によって、搬送部及び記録部の少なくとも一方の動作が禁止されるため、シートの端部が記録部と当接することが抑制される。
【００２９】
(12)  上記制御部は、上記抑制動作として、所定の量より少ないインク量で上記記録部よりインクを吐出してシートに画像を記録、又は所定の速度よりも遅い速度で少なくとも上記記録部及び上記搬送部の一方を制御してシートに画像を記録する非禁止動作を実行する請求項１から９のいずれかに記載のインクジェット記録装置。
【００３０】
本構成では、非禁止動作によって、シートの端部が記録部と当接することが抑制された状態でシートに画像を記録することができる。
【００３１】
(13)  本発明に係るインクジェット記録装置は、搬送されたシートが排出されるトレイと、ユーザが操作することで操作信号を発する操作部と、をさらに備え、上記禁止動作を実行した後、上記操作部から上記操作信号が発せられた場合、上記制御部は、上記搬送部を稼働させてシートを上記トレイへ排出する請求項１０に記載のインクジェット記録装置。
【００３２】
本構成では、禁止動作が実行された後に、シートをトレイへ排出するか否かをユーザが決定することができる。
【００３３】
(14)  搬送されたシートが排出されるトレイと、ユーザが操作することで第１操作信号及び第２操作信号を発する操作部と、をさらに備え、上記制御部は、上記抑制動作として、所定量より少ないインク量で上記記録部よりインクを吐出してシートに画像を記録、又は所定速度よりも遅い速度で少なくとも上記記録部及び上記搬送部の一方を制御してシートに画像を記録する非禁止動作を実行し、上記禁止動作を実行した後、上記操作部から上記第１操作信号が発せられた場合、上記搬送部を稼働させてシートを上記トレイへ排出し、上記操作部から上記第２操作信号が発せられた場合、上記非禁止動作を実行してもよい。
【００３４】
本構成では、禁止動作が実行された後に、非禁止動作によってシートに画像を記録するか、又はシートをトレイへ排出するかをユーザが決定することができる。
【００３５】
(15)  上記制御部は、記録される画像を示す画像データに基づいて、シートに吐出されるインクの量を算出するインク算出制御をさらに実行し、上記制御部は、上記禁止動作を実行した後、上記操作部から上記第２操作信号が発せられた場合であり、且つ上記インクの量が所定の閾値を超える場合は、上記非禁止動作を実行してもよい。
【００３６】
吐出されるインクの量が多い場合には、シートの端部がさらに浮きやすくなる。本構成では、インクの量が多い場合に非禁止動作が実行されるため、シートの端部が記録部と当接することが抑制される。
【００３７】
(16)  上記インク算出制御において算出されるインクの量が、上記シートの端部から上記幅方向の内側の端部内側領域に吐出されるインクの総量であってもよい。
【００３８】
シートの端部の浮きやすさは、特に端部内側領域に吐出されるインクの総量に影響される。したがって、端部内側領域に吐出されるインクの総量に基づいて、シートの端部の浮きやすさをさらに正確に見積もることができる。
【００３９】
(17)  上記制御部は、上記抑制動作が実行されないときに、通常記録動作を実行し、通常記録動作として、上記搬送部を制御して、シートを第１速度で搬送し、上記非禁止動作として、上記搬送部を制御して、シートを上記第１速度よりも小さい第２速度で搬送してもよい。
【００４０】
非禁止動作において、シートの搬送速度が低下されることで、シートの端部が幅方向と搬送向きとに交差する方向にぶれにくくなり、シートの端部が記録部と当接することが抑制される。
【００４１】
(18)  上記記録部は、上記幅方向に移動しながらインクを吐出可能であり、上記抑制動作が実行されないときに、通常記録動作を実行し、上記通常記録動作として、上記記録部を制御して、上記記録部を第１移動速度で移動し、上記非禁止動作として、上記記録部を制御して、上記記録部を上記第１移動速度よりも小さい第２移動速度で移動してもよい。
【００４２】
非禁止動作において、仮にシートの端部と記録部とが当接してしまっても、記録部の移動速度が低下されることで、シートのジャムの発生具合が抑制される。
【００４３】
(19)  上記搬送部は、上記記録部よりも上記搬送向きの下流側に配置されたローラと、上記ローラとによってシートを挟持する従動ローラと、を有しており、上記記録部は、上記幅方向に移動しながら、インクを吐出可能であり、上記制御部は、上記搬送部に、上記シートを上記搬送向きの下流側に搬送して当該シートを停止させる搬送制御と、上記記録部を上記幅方向に移動させつつ、停止しているシートにインクを吐出する吐出制御と、を交互に繰り返して実行するものであり、さらに、上記制御部は、上記非禁止動作として、シートを第１搬送速度で搬送し、上記吐出制御後の上記搬送制御中にシートの上記搬送向きの下流端が上記ローラと上記従動ローラとの挟持位置を通過する際に、上記搬送制御において上記シートを第１搬送速度より低い第２搬送速度で搬送してもよい。
【００４４】
シートがローラと従動ローラに挟持される際にシート詰まりが発生しやすい。本構成では、シートの下流端がローラと従動ローラを通過する際に、シートの搬送速度を低下させることで、シート詰まりが発生する可能性を低減できる。
【００４５】
(20)  上記記録部は、上記幅方向に移動しながら、インクを吐出可能であり、上記制御部は、上記搬送部に、上記シートを上記搬送向きの下流側に搬送して当該シートを停止させる搬送制御と、上記記録部を上記幅方向に移動させつつ、停止しているシートにインクを吐出する吐出制御と、を繰り返して実行するものであり、さらに、上記制御部は、上記抑制動作が実行されないときに、通常記録動作を実行し、上記通常記録動作において、上記吐出制御におけるインクの吐出の終了時点から、次に実行される上記吐出制御における上記記録部の移動開始までの待機時間を第１時間とし、上記非禁止動作において、上記吐出制御の終了時点から、次に実行される上記搬送制御後における上記記録部の移動開始までの待機時間を第１時間よりも長い第２時間としてもよい。
【００４６】
非禁止動作における記録部の待機時間を、通常記録動作における待機時間よりも長く設定することで、直前の吐出制御からインクが乾燥するための時間を十分に確保できる。それにより、シートの端部の浮きを軽減でき、記録部と当接することが抑制される。
【００４７】
(21)  上記端部位置検知手段は、上記記録部に設けられ、シートに向けて光を照射する発光部及びシートからの反射光を受光する受光部を有する光学センサを備え、上記受光部の受光量が所定値よりも大きい位置を、シートの上記端部位置として検知してもよい。この場合、記録部により近いところでシートの端部位置を検知することができるため、抑制動作をすべきシートの位置を正確に反映でき、より記録部とシートが当接することを抑制することができる。
【００４８】
(22)  上記浮き検知手段は、上記記録部に設けられ、シートの上記端部に向けて光を照射する発光部及びシートからの反射光を受光する受光部を有する光学センサを備え、上記プラテンと上記シートの端部とが離間した距離に応じて変化する上記受光部の受光量が所定の閾値よりも大きい場合に、シートが浮いていることを検知してもよい。
【００４９】
(23)  本発明に係るインクジェット記録装置は、シートを挟持して搬送向きに搬送する搬送部と、上記搬送向きと交差する幅方向に往復移動し、搬送されるシートの表面に向けて、インクを吐出する複数のノズルを有した記録部と、上記複数のノズルよりも搬送向き上流側、且つ上記幅方向における複数の位置において、上記搬送部に搬送されるシートの表面に当接し、シートの上記幅方向の端部位置が所定範囲内に位置する場合にシートの端部と当接する第１当接部と、上記第１当接部が搬送されるシートの表面に当接する位置とは上記幅方向において異なる位置であって、上記幅方向に離間された複数の位置において、搬送されるシートの裏面に当接する第２当接部と、上記記録部に搭載された光学センサを用いて上記幅方向におけるシートの上記端部位置を検知する端部位置検知手段と、上記端部位置検知手段によって検知されたシートの上記端部位置が上記所定範囲内にある場合は、上記搬送部及び上記記録部を制御して、搬送されるシートに画像記録を実行し、上記所定範囲外にある場合は画像記録を禁止する制御部と、を備える。
【発明の効果】
【００５０】
本発明によると、シートの端部とインクを吐出する記録部とが当接することを抑制することが可能である。
【図面の簡単な説明】
【００５１】
【図１】図１は、本発明の実施形態に係る複合機１０の斜視図である。
【図２】図２は、プリンタ部１１の構成を示す模式図である。
【図３】図３は、記録部２４の周辺を示す斜視図である。
【図４】図４は、図３をＡ−Ａ切断線で一部破断した斜視図である。なお、記録部２４が省略されている。
【図５】図５は、押さえ部材９０を示す図であり、（Ａ）は正面図、（Ｂ）は平面図、（Ｃ）は左側面図、（Ｄ）は右側面図、（Ｅ）は下面図、（Ｆ）は斜視図である。
【図６】図６は、制御部１３０の構成を示すブロック図である。
【図７】図７は、画像記録のためにプリンタ部１１が実行する制御を示すフローチャートである。
【図８】図８は、プラテン４２上を搬送される記録用紙３５を示している。（Ａ）は、記録用紙３５が左右方向９における正しい位置を搬送されている状態を示している。（Ｂ）は、記録用紙３５が右側へずれた状態で搬送されたため、左側の端部である左端７５が領域Ｒ１に位置した状態を示している。（Ｃ）は、記録用紙３５が右側へさらに大きくずれた状態で搬送されたため、左側の端部である左端７５が領域Ｒ２に位置した状態を示している。
【図９】図９は、図７のフローチャートにおける抑制動作制御（ステップＳ２６）を分解して示したフローチャートである。
【図１０】図１０は、本実施形態の変形例において、制御部１３０が抑制動作制御を実行するか否かを判断する基準となる距離ｘ１及び距離ｘ２を示している。
【発明を実施するための形態】
【００５２】
以下、適宜図面を参照して本発明の実施形態について説明する。なお、以下に説明される実施形態は本発明の一例にすぎず、本発明の要旨を変更しない範囲で、本発明の実施形態を適宜変更できることは言うまでもない。以下の説明においては、複合機１０（本発明のインクジェット記録装置の一例）が使用可能に設置された状態（図１の状態）を基準として上下方向７（本発明の交差方向の一例）を定義し、操作パネル１２（本発明の操作部の一例）が設けられている側を手前側（正面）として前後方向８を定義し、複合機１０を手前側（正面）から見て左右方向９（本発明の幅方向の一例）を定義する。
【００５３】
図１に示されるように、複合機１０は、概ね直方体に形成されており、下部にインクジェット記録方式のプリンタ部１１が設けられている。プリンタ部１１は、正面に開口が形成された筐体１４を有し、各種サイズの記録用紙３５を載置可能な給送トレイ２０（図２）が、開口に対して前後方向８に挿抜可能である。
【００５４】
複合機１０の正面には、ユーザに操作されて、所定の操作信号を発する操作パネル１２が設けられている。操作パネル１２には、操作に必要な各種の情報を表示する液晶表示パネル４７が設けられている。操作パネル１２は、後述の制御部１３０（図６）と電気的に接続されている。
【００５５】
複合機１０の背面に手差しトレイ２１が設けられている。図１の姿勢では、手差しトレイ２１は、上方へ起立して複合機１０の背面の一部を構成している。手差しトレイ２１は、図１の姿勢から下端部を中心に向きＤ１へ回動して、図２に示される傾斜した姿勢となる。この傾斜した姿勢において、ユーザは、画像記録に使用される各種サイズの記録用紙３５を手差しトレイ２１に載置可能である。
【００５６】
［プリンタ部１１の構成］
図２に示されるように、プリンタ部１１は、給送トレイ２０から記録用紙３５をピックアップして給送する給送部１５や、給送トレイ２０の上方に設けられており、給送部１５によって給送され、又は手差しトレイ２１に載置された記録用紙３５にインクを吐出して記録用紙３５に画像を記録するインクジェット記録方式の記録部２４などを備えている。
【００５７】
［給送部１５］
図２に示されるように、給送部１５は、給送トレイ２０の上方であって記録部２４の下方に設けられている。給送部１５は、給送ローラ２５、給送アーム２６及び駆動伝達機構２７を備えている。給送ローラ２５は、給送アーム２６によって回転可能に支持される。また、給送ローラ２５は、給送アーム２６内に設けられる複数のギヤが噛合されてなる駆動伝達機構２７によって、給送モータ４４（図６）の駆動力が伝達されて回転する。給送ローラ２５は、記録用紙３５を以下で説明する湾曲路６５Ａに給送する。
【００５８】
［搬送路６５］
図２に示されるように、プリンタ部１１の内部には、給送トレイ２０の先端部（後方側の端部）から記録部２４を経て排紙保持部７９（本発明のトレイの一例）に至る搬送路６５が形成されている。搬送路６５は、給送トレイ２０の先端から記録部２４に至る間に形成された湾曲路６５Ａと、記録部２４から排紙保持部７９に至る間に形成された排紙路６５Ｂとに区分される。
【００５９】
湾曲路６５Ａは、給送トレイ２０に設けられた分離傾斜部２２の上端付近から記録部２４に渡って延びる湾曲状の通路である。湾曲路６５Ａは、プリンタ部１１の内部側を中心とする円弧形状に概ね形成されている。給送トレイ２０から給送される記録用紙３５は、湾曲路６５Ａを搬送向き（図２において一点鎖線に付された矢印の向き）に湾曲されて、記録部２４の直下へ案内される。湾曲路６５Ａは、間隔を隔てて互いに対向する外側ガイド部材１８及び内側ガイド部材１９によって形成されている。
【００６０】
排紙路６５Ｂは、記録部２４の直下から排紙保持部７９に渡って延設された直線状の通路である。記録用紙３５は、排紙路６５Ｂを搬送向きに案内される。排紙路６５Ｂは、記録部２４が設けられていない箇所においては、所定間隔を隔てて互いに対向する上側ガイド部材８２及び下側ガイド部材８３によって形成されている。
【００６１】
湾曲路６５Ａの下流端にレジストセンサ１６が設けられている。レジストセンサ１６は、光学式のセンサであってもよいし、記録用紙３５によって姿勢変化される機械式のセンサであってもよい。レジストセンサ１６は、記録用紙３５の有無に基づく信号を後述の制御部１３０へ送る。
【００６２】
［手差しトレイ２１及びバイパス路６６］
手差しトレイ２１は、下端部が傾斜ガイド部材２９に対して回動自在に連結されている。上述のように、手差しトレイ２１は、図１の姿勢から下端側を中心に向きＤ１へ回動されて、図２に示されるように、記録用紙３５を載置可能な姿勢となる。図２に示される姿勢では、手差しトレイ２１は、プリンタ部１１の後端から後方斜め上に向かって延出されている。
【００６３】
制御部１３０は、給送トレイ２０又は手差しトレイ２１のうちのいずれかに載置された記録用紙３５を、記録部２４へ送って画像を記録する。どちらのトレイに載置された記録用紙３５に画像を記録するかは、各トレイの記録用紙３５の有無や、ＥＥＰＲＯＭ１３４（図６）に記憶された設定値などに基づいて制御部１３０が判断する。
【００６４】
手差しトレイ２１からプリンタ部１１の内部に向かって、バイパス路６６が形成されている。バイパス路６６は、上下方向７に対向する傾斜ガイド部材２９，３０によって形成されており、湾曲路６５Ａの下流端周辺と合流している。手差しトレイ２１に載置された記録用紙３５は、搬送向きの下流側がバイパス路６６に進入している。記録用紙３５の搬送向きの下流側は、レジストセンサ１６と対向し、後述される第１ローラ部５８（本発明の上流側挟持手段の一例）の挟持位置に位置する。手差しトレイ２１に載置された記録用紙３５は、レジストセンサ１６によって検知される。この状態で第１ローラ部５８が回転することで、記録用紙３５が搬送路６５へと引き込まれて、記録部２４へと搬送される。
【００６５】
［記録部２４］
図２，３に示されるように、記録部２４は、給送トレイ２０（図２）の上方に配置される。記録部２４は、キャリッジ３３、及びキャリッジ３３に搭載された記録ヘッド３４（図２）を有している。キャリッジ３３は、第１ガイドレール７１及び第２ガイドレール７２に支持される。第１ガイドレール７１及び第２ガイドレール７２は、左右方向９を長手方向とする略平板形状を呈しており、それぞれが前後方向８に離間されて設けられる。キャリッジ３３は、キャリッジモータ４５（図６）から周知の駆動伝達機構を介して駆動力が伝達されて、記録ヘッド３４と共に左右方向９に往復移動する。その際、第１ガイドレール７１及び第２ガイドレール７２は、キャリッジ３３が往復移動するためのレールとして機能する。
【００６６】
記録部２４の下方であって搬送路６５を挟んで記録部２４と対向する位置には、第１ローラ部５８から搬送された記録用紙３５を支持するためのプラテン４２が設けられる。記録ヘッド３４は、左右方向９への往復移動過程において、インクカートリッジ（不図示）から供給されたインクを、記録ヘッド３４の下面のノズル面３９に形成された複数のノズルから、プラテン４２上を搬送される記録用紙３５に吐出する。これにより、記録用紙３５に画像が記録される。
【００６７】
キャリッジ３３及び第２ガイドレール７２には、制御部１３０と電気的に接続された光学式のリニアエンコーダ６４（図６）が設けられている。リニアエンコーダ６４は、左右方向９に沿って第２ガイドレール７２に設けられたエンコーダストリップ（不図示）と、キャリッジ３３に搭載されてエンコーダストリップを読み取るリードヘッド（不図示）とを有している。リードヘッドは、エンコーダストリップに対する相対的な移動量を、パルス信号として、制御部１３０へ送る。
【００６８】
また、キャリッジ３３には、制御部１３０と電気的に接続された光学式のメディアセンサ１７が設けられている。メディアセンサ１７は、プラテン４２、又はプラテン４２に支持される記録用紙３５と対向する発光素子（本発明の発光部の一例）及び受光素子（本発明の受光部の一例）を有している。発光素子が光を照射すると、照射された光の反射光を受光素子が受光する。受光素子は、受光量を示す受光信号を制御部１３０へ送る。
【００６９】
［搬送ローラ６０、６２］
図２に示されるように、記録部２４の搬送向きの上流側には、第１搬送ローラ６０（本発明の搬送部の一例）及びピンチローラ６１を備える第１ローラ部５８が設けられる。ピンチローラ６１は、第１搬送ローラ６０の下方に配置されており、図示しないバネなどの弾性部材によって第１搬送ローラ６０のローラ面に圧接されている。第１ローラ部５８は、湾曲路６５Ａ又はバイパス路６６から給送された記録用紙３５を挟持してプラテン４２上へ送る。
【００７０】
記録部２４の搬送向きの下流側には、第２搬送ローラ６２（本発明のローラの一例）及び拍車６３（本発明の従動ローラの一例）を備える第２ローラ部５９（本発明の下流側挟持手段の一例）が設けられる。拍車６３は、第２搬送ローラ６２の上方に配置されており、図示しないバネなどの弾性部材によって第２搬送ローラ６２のローラ面に圧接されている。第２搬送ローラ６２及び拍車６３は、記録部２４で画像を記録された記録用紙３５を挟持して搬送向きの下流側に設けられた排紙保持部７９へ向けて搬送する。
【００７１】
各搬送ローラ６０、６２は、搬送モータ４６（図６）から駆動伝達機構（不図示）を介して回転駆動力が伝達されて回転する。これにより、記録用紙３５は搬送向きへ搬送されて、排紙保持部７９に排紙される。
【００７２】
第１搬送ローラ６０の周辺には、制御部１３０と電気的に接続された光学式のロータリエンコーダ６７（図６）が設けられている。ロータリエンコーダ６７は、第１搬送ローラ６０と一体に回転する円盤（不図示）と、円盤を介して対向する発光素子（不図示）及び受光素子（不図示）とを有している。円盤には周方向に沿って等間隔にスリットが形成されている。スリットが発光素子及び受光素子の間を通過するときには、発光素子の光が受光素子に到達するため、受光素子の受光量が一時的に増加する。つまり、信号値が変化する回数が、第１搬送ローラ６０の回転量を示している。ロータリエンコーダ６７は、第１搬送ローラ６０の回転量の信号をパルス信号として制御部１３０へ送る。
【００７３】
［プラテン４２］
図２〜４に示されるように、プラテン４２は、上述された第１ローラ部５８の下流側（前後方向８の前方）に設けられる。プラテン４２は、記録部２４に対向するように上方へ向けられた支持面８４（図３）を有する。支持面８４は、搬送路６５（図２）に露出されて、搬送路６５の下面の一部を形成する。支持面８４から上方に向かって複数のリブ８５（本発明のリブ、第２当接部の一例）が突出される。複数のリブ８５は、それぞれ前後方向８に沿って延び且つ互いに左右方向９に離間して配置される。
【００７４】
［第１ガイドレール７１］
図３に示されるように、前後方向８におけるプラテン４２の後端付近において、第１搬送ローラ６０の上方に第１ガイドレール７１が設けられる。第１ガイドレール７１は、左右方向９を長辺とする概ね矩形の平板形状を呈しており、表裏面がそれぞれプラテン４２の支持面８４と略平行になるように設けられる。第１ガイドレール７１は、搬送路６５を左右方向９に亘って横断し、不図示のフレームによって両端部を支持される。第１ガイドレール７１は、左右方向９に沿って、後述の押さえ部材９０（本発明の当接部材、第１当接部の一例）を取り付けるための複数の取付部７３を有している。各取付部７３は、第１ガイドレール７１を上下方向７に貫通する４つの挿入孔７４によって構成される。各挿入孔７４に押さえ部材９０の挿入突起９５（図３〜５）が挿入されて、押さえ部材９０が第１ガイドレール７１に取り付けられる。
【００７５】
［押さえ部材９０］
押さえ部材９０は、記録用紙３５をリブ８５とで挟み込むことで、搬送される記録用紙３５を波形状にする部材である。左右方向９において、押さえ部材９０は複数のリブ８５の間に配置される。押さえ部材９０は、第１ガイドレール７１の各取付部７３にそれぞれ取り付けられて、プラテン４２の支持面８４と間隔を隔てて対向している。図３においてはキャリッジ３３により隠れているが、左右方向９における搬送路６５の中央に１つの押さえ部材９０が配置されている。中央の押さえ部材９０の左右方向９における両外側に、それぞれ４つの押さえ部材９０がそれぞれ離間されて配置される。すなわち、合計９つの押さえ部材９０が左右方向９に沿って配置される。
【００７６】
中央に配置された押さえ部材９０は、左右方向９における記録用紙３５の中央を押さえる。すなわち、いずれのサイズの記録用紙３５も、左右方向９の中央が、中央に配置された押さえ部材９０の直下を搬送される。リブ８５と押さえ部材９０との間に挟み込まれた記録用紙３５は、中央に配置された押さえ部材９０に対して左右対称な波形状とされる。左右方向９において、記録用紙３５の中央と押さえ部材９０とが一致するように、給送トレイ２０及び手差しトレイ２１上の記録用紙３５が位置合わせされる。
【００７７】
以下、図４，５を参照して押さえ部材９０について説明される。なお、左右方向９の両端の押さえ部材９０は、他の押さえ部材９０と形状が一部相違しているが、以下では、両端以外の押さえ部材９０について説明される。この形状の相違点については後述する。なお、図５に示される上下方向７、前後方向８及び左右方向９は、押さえ部材９０を第１ガイドレール７１に取り付けた状態における方向である。
【００７８】
図４，５に示されるように、押さえ部材９０は、板状の基部９１と、前後方向８における基部９１の前面から湾曲して下方へ延びる湾曲片９２と、湾曲片９２の下端から水平面に対して若干傾斜して前方斜め下へ延出された押さえ片９３と、を備えた樹脂成型品である。基部９１の上面からは、補強用の複数の補強リブ９４（図５）と、第１ガイドレール７１の挿入孔７４（図３）に挿入される４個の挿入突起９５（図３〜５）とが上向きへ突出されている。４個の挿入突起９５は、前後方向８及び左右方向９に２個づつ並ぶ位置に配置される。
【００７９】
挿入突起９５の突出の先端部（上端部）には、第１ガイドレール７１の上面に引っ掛かる前後一対の爪９６，９７（図５）が設けられている。爪９６は、挿入突起９５の突出の先端部（上端部）から前後方向８における前向きへ突出されている。爪９７は、挿入突起９５の突出の先端部（上端部）から前後方向８における後向へ突出されている。押さえ部材９０の取り付け時において、挿入突起９５は、第１ガイドレール７１の下側から挿入孔７４に挿入された後、左右方向９における左方へスライドされる。こうして、爪９６，９７が挿入孔７４に嵌合し、押さえ部材９０が第１ガイドレール７１に固定される。
【００８０】
湾曲片９２は、円弧状に湾曲している。これは、湾曲片９２が第１搬送ローラ６０に接触することを回避するためである。湾曲片９２は、撓まないように、補強リブ９８により補強されている。
【００８１】
湾曲片９２の下端部には、第１ローラ部５８の挟持位置の前後方向８における前側から前方斜め下へ向かって傾斜する傾斜面９９が設けられている。傾斜面９９には、複数のガイドリブ９９Ａ（図５）が、傾斜面９９の傾斜する向き（前方斜め下向き）に沿って延びて設けられている。複数のガイドリブ９９Ａは、左右方向９へ離間されて配置されている。ガイドリブ９９Ａの突出の先端により、記録用紙３５の搬送向きにおける下流端が押さえ片９３へ案内される。
【００８２】
図８に示されるように、押さえ片９３の一部が、リブ８５の上端よりも下方に位置している。図５に示されるように、押さえ片９３は、前後方向８における前端が後端よりも下方に位置するように水平面に対して若干傾斜された板状に形成される。図２に示されるように、前後方向８における押さえ片９３の前端（搬送向き下流端）は、前後方向８における記録ヘッド３４のノズル面３９の後側に位置しており、ノズル面３９に近接している。
【００８３】
押さえ片９３の一部が、リブ８５の上端よりも下方に位置しているのは、記録用紙３５を上下方向７から押圧して波形状とするためである。押さえ片９３が傾斜されているのは、搬送される記録用紙３５が押さえ片９３とプラテン４２の支持面８４（図３）との間において詰まらないようにするためである。また、押さえ片９３が板状にされているのは、記録ヘッド３４とプラテン４２の支持面８４との僅かな隙間に押さえ片９３を配置するためである。前後方向８における押さえ片９３の前端をノズル面３９に近接させるのは、ノズル面３９に近い位置で記録用紙３５を押さえて画像記録の精度を良くするためである。
【００８４】
押さえ片９３は、上下方向７へ撓み易いように、前後方向８における前方へ向かうにつれて左右方向９における両端が互いに近づくように傾斜する先細りの形状にされている。押さえ片９３の前端部は、搬送される記録用紙３５を波形状にする際に撓む。また、押さえ片９３は、普通紙よりも厚みがある記録用紙３５が搬送されたり、複数枚の記録用紙３５が重送されたときにも撓むことで、記録用紙３５が押さえ片９３とプラテン４２との間において詰まることを抑制する。
【００８５】
図３に示されるように、左右方向９の両端に配置された押さえ部材９０は、記録用紙３５を押さえる部分の形状が、他の押さえ部材９０と相違している。詳細には、押さえ片９３に相当する部分が先細り形状にはなっておらず、概ね矩形の形状を呈している。両端に配置された押さえ部材９０は、プリンタ部１１が対応する最大サイズの記録用紙３５の左右両端を押さえるものである。そのため、搬送中に記録用紙３５の端部が外れることを防止するため、押さえ片９３に先細りしない形状が採用されている。
【００８６】
［制御部１３０］
図６に示される制御部１３０は、複合機１０の全体動作を制御するものである。制御部１３０は、ＣＰＵ１３１、ＲＯＭ１３２（本発明の領域記憶部、位置記憶部の一例）、ＲＡＭ１３３、ＥＥＰＲＯＭ１３４、ＡＳＩＣ１３５を主とするマイクロコンピュータとして構成されている。これらは内部バス１３７によって接続されている。
【００８７】
ＲＯＭ１３２には、ＣＰＵ１３１が複合機１０の各種動作を制御するためのプログラムなどが格納されている。ＲＡＭ１３３は、ＣＰＵ１３１が上記プログラムを実行する際に用いるデータや信号等を一時的に記録する記憶領域、或いはデータ処理の作業領域として使用される。ＥＥＰＲＯＭ１３４には、電源オフ後も保持すべき設定やフラグ等が格納される。
【００８８】
ＡＳＩＣ１３５には、給送モータ４４、キャリッジモータ４５、搬送モータ４６、記録ヘッド３４、液晶表示パネル４７、リニアエンコーダ６４、ロータリエンコーダ６７、メディアセンサ１７、レジストセンサ１６、及び操作パネル１２が電気的に接続されている。また、ＡＳＩＣ１３５には、それぞれのモータを制御する駆動回路が組み込まれている。
【００８９】
また、ＡＳＩＣ１３５には、リニアエンコーダ６４のリードヘッドから発せられるパルス信号が入力される。制御部１３０は、リニアエンコーダ６４のリードヘッドからのパルス信号に基づいて、キャリッジ３３の移動距離及び位置を算出し、算出した移動距離及び位置が目標値に一致するようキャリッジモータ４５を駆動させる。
【００９０】
また、ＡＳＩＣ１３５には、メディアセンサ１７の受光素子から発せられる信号が入力される。制御部１３０は、キャリッジ３３を左右方向９へ移動させながらメディアセンサ１７の信号を確認する。制御部１３０は、この信号の大きさに基づいて、左右方向９における記録用紙３５の端部の位置を判断する。すなわち、信号値が大きく変化する位置を端部位置と判断する。
【００９１】
また、ＡＳＩＣ１３５には、ロータリエンコーダ６７の受光素子から発せられるパルス信号が入力される。制御部１３０は、ロータリエンコーダ６７の受光素子からのパルス信号に基づいて、第１搬送ローラ６０の回転量を算出し、算出した回転量が目標値に一致するよう搬送モータ４６を駆動させる。
【００９２】
また、ＡＳＩＣ１３５には、操作パネル１２から第１操作信号及び第２操作信号が入力される。例えば、第１操作信号は複合機１０の動作の辞退を示し、第２操作信号は複合機１０の動作の許可を示す。なお、これら操作信号は、機械式のボタンスイッチをユーザが押下することで、又はタッチパネルをユーザが押下することでＡＳＩＣ１３５に入力されてもよい。
【００９３】
［画像記録の流れ］
以下、記録用紙３５に画像を記録するために制御部１３０によって実行される制御が、図７，９のフローチャートを参照しながら以下で詳細に説明される。なお、以下の説明において、ステップＳ２６の制御が本発明の抑制動作の一例である。ステップＳ２７，Ｓ５３，Ｓ５６の制御が本発明の搬送制御の一例である。ステップＳ２８，Ｓ５５，Ｓ５８の制御が本発明の吐出制御の一例である。ステップＳ４１の制御が本発明の禁止動作の一例である。ステップＳ５３，Ｓ５５の制御が本発明の非禁止動作の一例である。ステップＳ４８の制御が本発明のインク算出制御の一例である。
【００９４】
操作パネル１２や複合機１０に接続されたパーソナルコンピュータを通じて、ユーザによる画像記録のための操作が為されると、制御部１３０は、図７に示すフローチャートを実行する。まず、制御部１３０は、ＲＡＭ１３３に記憶された左端ＮＧフラグ及び右端ＮＧフラグをリセットする（ステップＳ１０）。この処理は、前回の画像記録時に設定されたフラグを初期化するためのものである。これらのフラグについては後述される。
【００９５】
上述されたように、手差しトレイ２１に記録用紙３５がセットされている場合、記録用紙３５の下流端はレジストセンサ１６によって検知可能な位置にある。制御部１３０は、レジストセンサ１６からの信号に基づいて、手差しトレイ２１に記録用紙３５がセットされているか否かを確認する（ステップＳ１２）。
【００９６】
手差しトレイ２１に記録用紙３５がセットされていない場合（ステップＳ１２：ＮＯ）、制御部１３０は、給送モータ４４を制御して、給送トレイ２０にセットされた記録用紙３５を搬送路６５へと給送する（ステップＳ１３）。
【００９７】
制御部１３０は、レジストセンサ１６からの信号に基づいて、記録用紙３５が正常に搬送されたか否かを判断する（ステップＳ１５）。給送モータ４４を所定量回転させてもレジストセンサ１６からの信号が変化しない場合、給送トレイ２０に記録用紙３５がセットされていないと判断する（ステップＳ１５：ＮＯ）。制御部１３０は、液晶表示パネル４７やパーソナルコンピュータのディスプレイ装置にエラーメッセージを表示させる（ステップＳ１６）。
【００９８】
このエラーメッセージは、給送トレイ２０に記録用紙３５がセットされていないことをユーザに報知するものである。また、記録用紙３５を給送トレイ２０又は手差しトレイ２１にセットした後に、操作パネル１２やパーソナルコンピュータによって画像記録を再実行させる所定の操作を実行することをユーザに促すものである。このメッセージの一例は、「トレイに用紙を入れなおしてスタートボタンを押してください」などである。ユーザによって、画像記録を再実行させる操作が実行されていない状態では（ステップＳ１７：ＮＯ）、制御部１３０は、このエラーメッセージの表示を継続させる。ユーザによって、画像記録を再実行させる操作が実行された場合（ステップＳ１７：ＹＥＳ）、制御部１３０は、再びステップＳ１０以降の制御を実行する。
【００９９】
一方、給送モータ４４を所定量回転させた後にレジストセンサ１６からの信号が変化した場合（ステップＳ１５：ＹＥＳ）、このことは、給送トレイ２０の記録用紙３５が正常にレジストセンサ１６まで搬送されたことを意味する。給送トレイ２０の記録用紙３５が正常にレジストセンサ１６まで搬送された場合、又は手差しトレイ２１に記録用紙３５がセットされている場合（ステップＳ１２：ＹＥＳ）、制御部１３０は、搬送モータ４６によって第１搬送ローラ６０を回転させる。これにより、手差しトレイ２１にセットされた記録用紙３５、又は給送トレイ２０から湾曲路６５Ａを搬送されてきた記録用紙３５が、第１ローラ部５８に挟持されて搬送される。なお、ロータリエンコーダ６７からのパルスの数が目標値に達するまで搬送が継続される。その結果、記録用紙３５は、メディアセンサ１７と対向する位置まで搬送される（ステップＳ１８）。このとき、押さえ部材９０を通過した記録用紙３５の下流側には、図８に示されるような左右方向９に沿った波形状が付けられる。
【０１００】
制御部１３０は、キャリッジモータ４５を制御して、キャリッジ３３を左右方向９へ移動させながら、メディアセンサ１７からの信号を確認し、左右方向９における記録用紙３５の端部の位置を取得する（ステップＳ１９）。すなわち、信号値が所定値（例えば、記録用紙３５の白色を示す信号値）以上となる位置が左右方向９における記録用紙３５の端部である。記録用紙３５の端部周辺における信号値、及び取得された端部の位置は、ＲＡＭ１３３に記憶される。
【０１０１】
制御部１３０は、取得された左右両端部の間の距離を、ＲＯＭ１３２のデータテーブルに記憶された記録用紙３５のサイズ情報と比較して、記録用紙３５のサイズを特定する（ステップＳ２０）。ここで特定されるサイズとは、たとえば、Ａ４、Ｂ５、Ｌ判、又はハガキサイズなどである。また、制御部１３０は、記録用紙３５の搬送向き上流端及び下流端（以下、単に上流端及び下流端と称する）の位置を算出してＲＡＭ１３３に記憶させる。下流端の位置は、レジストセンサ１６が記録用紙３５の下流端を検知した後の第１搬送ローラ６０の回転量、すなわち、ロータリエンコーダ６７のパルスの数に基づいて算出される。上流端の位置は、下流端の位置と、データテーブルから特定された記録用紙３５のサイズとに基づいて算出される。
【０１０２】
制御部１３０は、特定された記録用紙３５のサイズに基づいて、記録用紙３５が湾曲しやすいものであるか否かを判断する（ステップＳ２１）。たとえば、Ａ４又はＢ５の記録用紙３５は曲がりやすいと判断され、Ｌ判又はハガキサイズは曲がりにくいと判断される。通常、Ｌ判は写真の印刷に使用されるサイズであり、写真やハガキに使用される記録用紙３５は比較的厚みがあり、剛性が高いためである。ＲＯＭ１３２のデータテーブルには、記録用紙３５のサイズごとに曲がりやすいか否かの情報が記憶されていてもよい。また、画像記録の指示を示すデータに、画像記録する記録用紙の種類（例えば、普通紙、光沢紙、等）を含むようにしてもよい。この場合、ステップＳ２１においては、画像記録の指示を示すデータから記録用紙の種類を取得し、制御部１３０は、例えば普通紙である場合は、ステップＳ２１においてはＹＥＳと判断し、一方で光沢紙である場合はステップＳ２１においてはＮＯと判断する。
【０１０３】
記録用紙３５が曲がりやすいものでない場合（ステップＳ２１：ＮＯ）、制御部１３０は、次に画像が記録される範囲がノズル面３９と対向する位置まで記録用紙３５をＲＯＭ１３２に記憶された第１速度で搬送させて停止させる（ステップＳ２７）。また、制御部１３０は、キャリッジ３３を左右方向９へＲＯＭ１３２に記憶された第１移動速度で移動させながら、記録ヘッド３４にインクを吐出させる（ステップＳ２８）。これにより、当該パスの記録範囲に画像が記録される。以下、ステップＳ２７及びステップＳ２８で実行される記録用紙３５の搬送及び画像記録が、通常記録動作と称される。
【０１０４】
１パス分の画像記録が終了した後、制御部１３０は、全てのパスの画像記録が終了したか否かを判断する（ステップＳ２９）。全てのパスの画像記録が終了した場合（ステップＳ２９：ＹＥＳ）、制御部１３０は、搬送モータ４６を制御して、各搬送ローラを回転させ、記録用紙３５を排紙保持部７９へ排紙する（ステップＳ３０）。なお、制御部１３０は、全てのパスの画像記録が終了するまで（ステップＳ２９：ＮＯ）、ステップＳ２７，Ｓ２８の制御を再度実行する。なお、パスとはＳ２７で停止した記録用紙３５に、キャリッジ３３を移動させつつ記録ヘッド３４からインクを吐出することを示す。
【０１０５】
一方、記録用紙３５が曲がりやすいものである場合（ステップＳ２１：ＹＥＳ）、制御部１３０は、取得された記録用紙３５の左側の端部がプラテン４２から浮きやすい位置にあるか否かを判断する（ステップＳ２２）。詳細が以下に説明される。
【０１０６】
図８（Ａ）は、記録用紙３５が正常に搬送された状態を示している。記録用紙３５の左側の端部である左端７５は、左端の押さえ部材９０によって押さえられている。また、図８（Ｂ）は、記録用紙３５が右側にずれた状態でプラテン４２上に送られた状態を示している。このような状況は、記録用紙３５が給送トレイ２０又は手差しトレイ２１上で正しい位置に位置合わせされていなかった場合に起こりうる。図８（Ｃ）は、記録用紙３５のずれがさらに大きい場合を示している。なお、図８においては中央に位置する押さえ部材９０が図の右端に位置しており、プラテン４２の左半分のみが示されている。
【０１０７】
図８（Ａ）に示されるように、プラテン４２には、左右方向９に沿って領域Ｒ１及び領域Ｒ２（本発明の所定領域の一例）が交互に設定されている。ＲＯＭ１３２には、左右方向９における領域Ｒ１及び領域Ｒ２と記録用紙３５の左右両端部の位置との対応が記憶されている。図８には示されないが、領域Ｒ１及び領域Ｒ２は、中央の押さえ片９３に対して右側にも対称に設定されている。
【０１０８】
領域Ｒ１は、当該領域に左端７５が位置するときに、記録用紙３５と当接する全ての押さえ部材９０及びリブ８５のうち、左端７５との距離が最短のものが押さえ部材９０となる領域である。つまり、左端７５が領域Ｒ１に位置する記録用紙３５は、左端７５が押さえ部材９０によって押さえられているか（図８（Ａ）の状態）、押さえられていないとしても、左端７５と押さえ部材９０との間にリブ８５が存在しない状態にある（図８（Ｂ）の状態）。記録用紙３５の左端７５が領域Ｒ１に位置している場合、記録用紙３５の左端７５がプラテン４２に対して浮き難い。
【０１０９】
領域Ｒ２は、当該領域に左端７５が位置するときに、記録用紙３５と当接する全ての押さえ部材９０及びリブ８５のうち、左端７５との距離が最短のものがリブ８５となる領域である。つまり、左端７５が領域Ｒ２に位置する記録用紙３５は、左端７５が押さえ部材９０によって押さえられておらず、且つ左端７５と押さえ部材９０との間にリブ８５が存在している状態にある（図８（Ｃ）の状態）。記録用紙３５の左端７５が領域Ｒ２に位置している場合、記録用紙３５の左端７５は、最も左側に当接するリブ８５によって持ち上げられるため、領域Ｒ１に左端７５が位置する場合よりもプラテン４２に対して浮き易い。
【０１１０】
制御部１３０は、左端７５が領域Ｒ１にあるとき（たとえば図８（Ａ），（Ｂ）の場合）、左端７５がプラテン４２から浮きやすい位置にないと判断し、左端７５が領域Ｒ２にあるとき（たとえば図８（Ｃ）の場合）、左端７５がプラテン４２から浮きやすい位置にあると判断する。
【０１１１】
記録用紙３５の左側の端部がプラテン４２から浮きやすい位置にある場合（ステップＳ２２：ＹＥＳ）、制御部１３０は、左端ＮＧフラグを設定する（ステップＳ２３）。記録用紙３５の左側の端部がプラテン４２から浮きやすい位置にない場合（ステップＳ２２：ＮＯ）、制御部１３０は、記録用紙３５の右側の端部がプラテン４２から浮きやすい位置にあるか否かを判断する（ステップＳ２４）。この判断は、左側の端部と同様の方法で行われる。記録用紙３５の右側の端部がプラテン４２から浮きやすい位置にある場合（ステップＳ２２：ＹＥＳ）、制御部１３０は、右端ＮＧフラグを設定する（ステップＳ２５）。なお、例えばフラグが設定される場合は、ＲＡＭ１３３に“１”が記憶され、フラグが設定されない場合は、“０”が記憶される。
【０１１２】
制御部１３０は、左端ＮＧフラグ及び右端ＮＧフラグのいずれも設定しなかった場合に（ステップＳ２２：ＮＯ  ａｎｄ  ステップＳ２４：ＮＯ）、上述されたステップＳ２７以降の制御、すなわち記録用紙３５への画像記録を実行する。また、制御部１３０は、左端ＮＧフラグ又は右端ＮＧフラグの少なくとも一方を設定した場合、抑制動作制御（ステップＳ２６）を実行する。以下、抑制動作制御について詳細に説明される。なお、通常記録動作とは、記録用紙３５が曲がりやすいものでない場合（ステップＳ２１）の搬送及び記録の動作であったり、記録用紙３５の左端及び右端が浮きにくい場合の搬送及び記録の動作である。また、通常記録動作とは、例えば記録用紙３５にインクが吐出されてカールが発生したとしても、記録用紙３５の端部が記録ヘッド３４に当接しない条件での記録動作である。
【０１１３】
［抑制動作制御］
抑制動作制御（ステップＳ２６）の詳細なフローが図９に示されている。まず、制御部１３０は、ステップＳ１９で記憶した記録用紙３５の左右両端部周辺におけるメディアセンサ１７の信号値に基づいて、少なくとも一方の端部がノズル面３９と当接する程度に浮いているか否かを判断する（ステップＳ４０）。記録用紙３５の端部の浮きが大きいほど、記録用紙３５による光の反射量が大きくなり、端部周辺での信号値が大きくなる。制御部１３０は、メディアセンサ１７からの信号値をＲＯＭ１３２に記憶された閾値と比較して、信号値が閾値を超えている場合に、当該端部がノズル面３９と当接する程度に浮いていると判断する。
【０１１４】
少なくとも一方の端部がノズル面３９と当接する程度に浮いている場合（ステップＳ４０：ＹＥＳ）、制御部１３０は、その状態で画像記録を続行するか否かをユーザに確認するための確認メッセージを、液晶表示パネル４７やパーソナルコンピュータのディスプレイ装置に表示させる（ステップＳ４１）。このメッセージの一例は、「印刷を継続しますか？」などである。また、画面には「ＹＥＳ」及び「ＮＯ」に対応するアイコンが表示される。このとき、制御部１３０は、搬送モータ４６又はキャリッジモータ４５の動作を停止させた状態に維持している。なお、制御部１３０は、少なくともキャリッジモータ４５の動作を停止させるのが好ましい。これは、キャリッジ３３と記録用紙３５の端部とが当接することを防止するためである。ユーザは、操作パネル１２やパーソナルコンピュータを操作して、「ＹＥＳ」又は「ＮＯ」のどちらかを選択する操作を実行する。
【０１１５】
ユーザによって、「ＮＯ」を選択する操作が実行された場合（ステップＳ４２：ＮＯ）、操作パネル１２又はパーソナルコンピュータから、第１操作信号が発せられる。この場合、制御部１３０は、搬送モータ４６を制御して、各搬送ローラを回転させ、記録用紙３５を排紙保持部７９へ排紙する（ステップＳ４３）。排紙後、制御部１３０は、記録用紙３５を正しくセットした後に再度画像記録を実行することをユーザに促すための確認メッセージを、液晶表示パネル４７やパーソナルコンピュータのディスプレイ装置に表示させる（ステップＳ４４）。このメッセージの一例は、「用紙を正しくセットし直してＳＴＡＲＴを押してください」などである。また、画面には「ＳＴＡＲＴ」及び「ＳＴＯＰ」に対応するアイコンが表示される。ユーザは、操作パネル１２又はパーソナルコンピュータを操作して、「ＳＴＡＲＴ」又は「ＳＴＯＰ」のどちらかを選択する操作を実行する。
【０１１６】
ユーザによって、「ＳＴＡＲＴ」を選択する操作が実行された場合、つまり印刷再実行の指示があった場合（ステップＳ４５：ＹＥＳ）、制御部１３０は、再び図７に示すフローチャートを最初から実行する。ユーザによって、「ＳＴＯＰ」に対応する操作が実行された場合（ステップＳ４５：ＮＯ）、制御部１３０は、抑制動作制御を終了し、全ての制御を終了する。
【０１１７】
一方、ステップＳ４２において、ユーザによって、「ＹＥＳ」を選択する操作が実行された場合、つまり印刷継続の指示があった場合（ステップＳ４２：ＹＥＳ）、操作パネル１２又はパーソナルコンピュータから、第２操作信号が発せられる。この場合、制御部１３０は、ステップＳ２０でＲＡＭ１３３に記憶された記録用紙３５の下流端が第１ローラ部５８と第２ローラ部５９との間にあるか否かを判断する（ステップＳ４６）。記録用紙３５の下流端が第１ローラ部５８と第２ローラ部５９との間にない場合（ステップＳ４６：ＮＯ）、制御部１３０は、記録用紙３５の上流端についても同様の判断を行う（ステップＳ４７）。
【０１１８】
記録用紙３５の上流端又は下流端の少なくとも一方が第１ローラ部５８と第２ローラ部５９との間にある場合（ステップＳ４６：ＹＥＳ  ｏｒ  ステップＳ４７：ＹＥＳ）、記録用紙３５は、第１ローラ部５８又は第２ローラ部５９の一方にのみ挟持されており、その間に位置する上流端又は下流端は比較的浮きやすい状態にある。この場合、制御部１３０は、次の画像記録のパスにおいて、左右方向９における記録用紙３５の端部周辺に吐出されるインク量をそれぞれ取得して、ＲＡＭ１３３に記憶させる。詳細には、左右方向９の端部から内側に向かって所定の長さの領域内（以下、端部内側領域とする。）に吐出されるインク量を画像データに基づいて算出する。
【０１１９】
制御部１３０は、左端ＮＧフラグが設定されているか否かを判断し（ステップＳ４９）、設定されている場合は（ステップＳ４９：ＹＥＳ）、次の画像記録のパスにおける左端の端部内側領域のインク量がＲＯＭ１３２に記憶された閾値よりも多いか否かを判断する（ステップＳ５０）。左端ＮＧフラグが設定されていないか（ステップＳ４９：ＮＯ）、設定されていたとしても左端の端部内側領域のインク量が閾値よりも少ない場合（ステップＳ５０：ＮＯ）、制御部１３０は、記録用紙３５の右側の端部についても同様の判断を行う。すなわち、右端ＮＧフラグが設定されているか否かを判断し（ステップＳ５１）、設定されている場合は（ステップＳ５１：ＹＥＳ）、次の画像記録のパスにおける右端の端部内側領域のインク量がＲＯＭ１３２に記憶された閾値よりも多いか否かを判断する（ステップＳ５２）。この閾値の具体的な値としては、インクデューティ（ある範囲内におけるインクがしめる量）が５０％を示す値であることが好ましい。なお、これらインク量の閾値は、ＥＥＰＲＯＭ１３４に記憶されていてもよく、この場合さらにユーザによって当該閾値を変更できるようにＥＥＰＲＯＭ１３４、操作パネル１２、及び制御部１３０が構成されていてもよい。
【０１２０】
少なくとも一方の端部内側領域に吐出されるインク量が閾値よりも多い場合（ステップＳ５０：ＹＥＳ  ｏｒ  ステップＳ５２：ＹＥＳ）、インクの水分の浸透によって、左右方向９における記録用紙３５の端部周辺のコシが弱くなり、さらに浮きやすくなると予想される。この場合、制御部１３０は、保護記録動作による画像記録を実行する。
【０１２１】
ステップＳ５３，５５に示される保護記録動作では、記録用紙３５の搬送速度が上述された通常記録動作における第１速度より低速の第２速度に設定されている。この第２速度の具体的な値としては、８ｉｐｓ（ｉｎｃｈ  ｐｅｒ  ｓｅｃｏｎｄ）である。また、キャリッジ３３の移動速度が通常記録動作における第１移動速度より低速の第２移動速度に設定されている。この第２速度の具体的な値としては、４ｉｐｓである。記録用紙３５の搬送速度が低速に設定されることで、搬送の振動によって記録用紙３５の上下流側及び左右両側の端部がさらに高い位置まで浮いてしまう可能性が低減される。さらに、記録用紙３５の下流端が第２ローラ部５９に挟持されるときに、記録用紙３５が第２ローラ部５９に衝突してジャムしてしまう可能性が低減される。また、キャリッジ３３の移動速度が低速に設定されることで、仮にノズル面３９に記録用紙３５の端部が当接したとしても、ノズル面３９に当接した記録用紙３５の端部が破れたり、折れ曲がってしまう可能性が低減される。
【０１２２】
制御部１３０は、保護記録動作によって、次のパスにおいて画像が記録される範囲がノズル面３９と対向する位置まで記録用紙３５を搬送させて停止させる（ステップＳ５３）。制御部１３０は、記録用紙３５が停止された位置において、ステップＳ２０と同様の方法で記録用紙３５の上流端及び下流端の位置を取得し、ＲＡＭ１３３に記憶させる（ステップＳ５４）。
【０１２３】
続けて、制御部１３０は、保護記録動作によって、キャリッジ３３を左右方向９へ移動させながら、記録ヘッド３４にインクを吐出させる（ステップＳ５５）。これにより、当該パスの記録範囲に画像が記録される。
【０１２４】
一方、ステップＳ４７，Ｓ５１，Ｓ５２のいずれかがＮＯに分岐された場合、ステップＳ５３が実行された場合と比較して、左右方向９における記録用紙３５の端部が浮き難い状態にある。制御部１３０は、ステップＳ２７と同様の通常記録動作において、次のパスにおいて画像が記録される範囲がノズル面３９と対向する位置まで、記録用紙３５を搬送させて停止させる（ステップＳ５６）。次に、制御部１３０は、記録用紙３５が停止された位置において、記録用紙３５の上流端及び下流端の位置を取得し、ＲＡＭ１３３に記憶させる（ステップＳ５７）。この制御は、ステップＳ２０，Ｓ５４と同様の方法で実行される。その後、制御部１３０は、ステップＳ２８と同様の通常記録動作において、キャリッジ３３を左右方向９へ移動させながら、記録ヘッド３４にインクを吐出させる（ステップＳ５８）。これにより、当該パスの記録範囲に画像が記録される。
【０１２５】
保護記録動作又は通常記録動作での１パス分の画像記録（ステップＳ５５，Ｓ５８）が終了した後、制御部１３０は、全てのパスの画像記録が終了したか否かを判断する（ステップＳ５９）。全てのパスの画像記録が終了した場合（ステップＳ５９：ＹＥＳ）、制御部１３０は、搬送モータ４６を制御して、各搬送ローラを回転させ、記録用紙３５を排紙保持部７９へ排紙して（ステップＳ６０）、抑制動作制御を終了し、同時に画像記録のための全ての制御を終了する。一方で、全てのパスの画像記録が終了していない場合、（ステップＳ５９：ＮＯ）、制御部１３０は、全てのパスの画像記録が終了するまでステップＳ４６以降の制御を再度実行する。
【０１２６】
［実施形態の作用効果］
本実施形態によると、制御部は、左右方向９における少なくとも一方の記録用紙３５の端部が領域Ｒ２にあり（ステップＳ２２：ＹＥＳ  ｏｒ  ステップＳ２４：ＹＥＳ）、メディアセンサ１７の信号値に基づいて、少なくとも一方の端部がノズル面３９と当接する程度に浮いていると判断される場合に（ステップＳ４０：ＹＥＳ）、確認メッセージを表示して画像の記録を停止させることができる（ステップＳ４１）。つまり、記録用紙３５の端部が浮きやすく、ノズル面３９と当接しやすい場合に、画像記録の動作を停止するので、ノズル面３９と記録用紙３５とが当接するのを防止する。
【０１２７】
また、ステップＳ４１において画像記録が停止された場合、確認メッセージを見たユーザは、画像記録を再開するか、記録用紙３５を排紙するかを決定できる（ステップＳ４２）。
【０１２８】
また、ステップＳ４１を経由せず画像記録が停止されなかったか（ステップＳ４０：ＮＯ）、又は停止された後、再開された場合には（ステップＳ４２：ＹＥＳ）、所定の条件によって保護記録動作での画像記録が実行されるため（ステップＳ５３，Ｓ５５）、ノズル面３９と当接した記録用紙３５の端部が汚れてしまったり、搬送路６５に詰まってしまう可能性が低減される。
【０１２９】
特に、少なくとも一方の端部内側領域に吐出されるインク量が閾値より多い場合に（ステップＳ５０：ＹＥＳ  ｏｒ  ステップＳ５２：ＹＥＳ）、保護記録動作での画像記録が実行される。つまり、記録用紙３５の端部がインクで濡れて浮きやすくなっても、記録用紙３５の端部がノズル面３９と当接する可能性が低減される。
【０１３０】
また、領域Ｒ１，Ｒ２と記録用紙３５の左右両端部の位置との対応がＲＯＭ１３２に記憶されているため、制御部１３０は、記録用紙３５の端部が浮きやすいか否かをわずかな処理のステップ数で判断できる。
【０１３１】
［変形例］
上述された実施形態において、必ずしもＲＯＭ１３２に領域Ｒ１，Ｒ２が記憶されている必要はなく、左右方向９における押さえ部材９０及びリブ８５の位置がそれぞれＲＯＭ１３２に記憶されていてもよい。その場合、制御部１３０は、押さえ部材９０及びリブ８５の位置と、記録用紙３５の端部の位置との相対的な位置関係に基づいて、領域Ｒ１，Ｒ２を使用した場合と同様の判断を行ってもよい。
【０１３２】
また、制御部１３０は、上述された実施形態とは異なる基準によって、抑制動作制御を実行するか否かを判断してもよい。たとえば、左右方向９における記録用紙３５の端部が、押さえ部材９０よりも外側に位置している場合、すなわち端部が押さえ部材９０によって押さえられていない場合には、リブ８５の位置に拘わらず抑制動作制御が実行されてもよい。あるいは、記録用紙３５の端部が、押さえ部材９０よりも所定の距離以上外側に位置する場合に、抑制動作制御が実行されてもよい。一例が以下に説明される。
【０１３３】
図１０は、記録用紙３５の左端７５が押さえ部材９０よりも距離ｘ１だけ左側に位置した状態を示している。ここで、距離ｘ２は、押さえ部材９０が記録用紙３５に当接する位置と、記録ヘッド３４のノズル面３９との上下方向７の距離である。距離ｘ１が距離ｘ２よりも短い場合、記録用紙３５の左端７５周辺、すなわち距離ｘ１に対応する部分が上方へ浮き上がったとしても、左端７５がノズル面３９には届かない。つまり、ノズル面３９に当接することはない。一方、距離ｘ１が距離ｘ２と同じかそれよりも長い場合、記録用紙３５の左端７５周辺が上方へ浮き上がったときに、左端７５がノズル面３９に当接する可能性がある。
【０１３４】
制御部１３０は、左端７５の位置に基づいて算出された距離ｘ１を、ＲＯＭ１３２に記憶された距離ｘ２と比較する。そして、距離ｘ１が距離ｘ２よりも長い場合にのみ、抑制動作制御を実行する。なお、上述された実施形態と同様に、抑制動作制御が実行されない場合（つまり、距離ｘ１が距離ｘ２よりも短い場合）、及び実行される場合（つまり、距離ｘ１が距離ｘ２と同じかそれよりも長い場合）の左端７５の位置がそれぞれ領域Ｒ１，Ｒ２としてＲＯＭ１３２に記憶されていてもよい。その場合、制御部１３０は、左端７５が領域Ｒ１に位置するか、あるいは領域Ｒ２に位置するかに基づいて、抑制動作制御を実行するか否かを判断する。なお、図１０では、プラテン４２の左半分のみが示されているが、右側の端部についても同様の制御が実行される。
【０１３５】
また、上述された実施形態では、制御部１３０は、左右方向９における記録用紙３５の端部の位置をメディアセンサ１７を用いて検知したが、記録用紙３５の端部の位置はこれとは異なる方法で検知されてもよい。たとえば、左右方向９に沿った複数の光学式又は機械式のセンサがプラテン４２に沿って複数配置されていてもよい。また、給送トレイ２０において記録用紙３５の左右方向９の位置決めをするサイドガイドの位置より、記録用紙３５の端部の位置を検知してもよい。あるいは、制御部１３０は、画像記録時にユーザによって指定され、ＥＥＰＲＯＭ１３４に記憶された記録用紙３５の情報に基づいて、記録用紙３５のサイズ及び端部の位置を検知してもよい。なお、記録用紙３５の端部の位置が、上述の給送トレイ２０のサイドガイドの位置、及びＥＥＰＲＯＭ１３４に記憶された記録用紙３５の情報に基づく場合よりも、メディアセンサ１７の信号値に基づく場合の方が、記録ヘッド３４により近いところで記録用紙３５の状態を取得できるため好適である。これは、例えば記録ヘッド３４のインクの吐出による記録用紙３５の変形、又は給送部１５と搬送ローラ６０、６２とによる斜行の有無等の影響を加味することができるためである。
【０１３６】
また、抑制動作制御における判断の一部は、当業者によって一部が省略されてもよい。たとえば、ステップＳ４０における端部の浮きの判断を実行せずに、ステップＳ４１における確認メッセージを表示してもよい。または、確認メッセージを表示することなく、ステップ６０における記録用紙３５の排紙を実行してもよい。そのような変形例では、保護記録動作での画像記録が実行されることはない。一方、ステップＳ４０における端部の浮きの判断を実行せずに、ステップＳ４６以降の制御が実行される構成であってもよい。
【０１３７】
また、ステップＳ４６及びステップＳ４７の判断が省略されて、ステップＳ４８以降の制御が実行されてもよい。すなわち、搬送向きにおける記録用紙３５の端部の位置に拘わらず、ステップＳ４８以降の制御が実行されてもよい。
【０１３８】
また、ステップＳ４８〜Ｓ５２におけるインク量の判断を実行せずに保護記録動作による画像記録が実行されてもよい。
【０１３９】
また、保護記録動作（特にステップＳ５５）において、制御部１３５は、吐出されるインクの総量を通常記録動作のインクの総量よりも少なくしてもよい。これにより、記録用紙３５に対するインクの水分の浸透が少なくなり、左右方向９における記録用紙３５の端部の浮きが抑制される。なお、通常記録動作のインクの総量よりも少なくした場合のインクの総量の具体的な値としては、インクデューティ５０％以下が好ましい。また、インクの総量を少なくするか否かが、画像記録時にユーザによって指定されてもよい。この場合、Ｓ４６及びＳ４７の判断を介すると、インクの濃度が、搬送向きにおいて異なってしまう可能性があるので、Ｓ４６及びＳ４７を省略した方が望ましい。
【０１４０】
また、保護記録動作において、制御部１３５は、記録用紙３５の下流端が第２ローラ部５９を通過する際、つまり記録用紙３５が第２ローラ部５９に挟持される際に、記録用紙３５の搬送速度を減速させてもよい。詳細には、制御部１３５は、記録用紙３５をＲＯＭ１３２に記憶された第１搬送速度で第２ローラ部５９まで搬送し、記録用紙３５の下流端が第２ローラ部５９に挟持される手前の位置で、当該速度を第１搬送速度より低速の第２搬送速度まで減速させてもよい。この第２搬送速度の具体的な値としては、８ｉｐｓである。記録用紙３５の下流端の浮きが大きい場合、記録用紙３５が正しく第２ローラ部５９に挟持されないことがある。特に、記録用紙３５が折れ曲がった状態で第２ローラ部５９に挟持されてしまうことがある。記録用紙３５が第２ローラ部５９に挟持される際に、記録用紙３５の搬送速度を減速させて下流端の浮きを抑制することで、記録用紙３５が折れ曲がった状態で第２ローラ部５９に挟持されることを防止できる。
【０１４１】
また、制御部１３０は、ステップＳ２８，Ｓ５５，Ｓ５８の開始時に、前回のパスにおけるステップＳ２８，Ｓ５５，Ｓ５８でキャリッジ３３が停止した時点から、所定の待機時間が経過しているか否かを判断してもよい。そして、経過していない場合には、待機時間が経過するまで、ステップＳ２８，Ｓ５５，Ｓ５８におけるキャリッジ３３の移動を待機させてもよい。インクが吐出された直後では、左右方向９における記録用紙３５の端部はインクの水分によって浮きやすい状態にある。待機時間は、吐出されたインクが乾燥する時間を考慮して決定されている。たとえば、通常記録動作（ステップＳ２８，Ｓ５８）における待機時間は第１時間であり、保護記録動作（ステップＳ５５）における待機時間は第１時間よりも長い第２時間である。なお、第２時間の具体的な値としては、１０秒程度が好ましい。本変形例では、前回のパスにおけるインクの吐出が完了、つまりキャリッジ３３が停止してから、待機時間（つまり、第１時間または第２時間）が経過するまで、キャリッジ３３の移動が待機される。これにより、左右方向９における記録用紙３５の端部の浮きを抑制し、記録用紙３５の端部とノズル面３９との当接を防止することができる。
【０１４２】
また、保護記録動作として、記録用紙３５の搬送速度を低下させる動作、キャリッジ３３の移動速度を低下させる動作、インク量を低下させる動作、第２ローラ部５９に挟持される際の記録用紙３５の搬送速度を低下させる動作、及びキャリッジ３３の待機時間を増加させる動作、の例を挙げた。これらは、１枚の記録用紙３５に画像を記録する際に全ての動作を実行されてもよいし、全てのうちの複数の動作が適宜組み合わされて実行されてもよいし、全てのうちの１つの動作のみが実行されてもよい。
【０１４３】
また、上述された実施形態では、制御部１３５はステップＳ４０乃至Ｓ４５の処理を実行しているが、当該ステップＳ４０乃至Ｓ４５の処理を実行しなくてもよい。
【０１４４】
また、上述された実施形態では、キャリッジ３３が備える記録ヘッド３４からインクを吐出する例について説明したが、プラテン４２上を搬送される記録用紙３５の左右方向９の全域に亘る記録ヘッド３４（いわゆるラインヘッド）を用いてもよい。なお、この場合、左右方向９に移動するキャリッジ３３を有さないため、上記の保護記録動作として、キャリッジ３３の移動速度を低下させる動作、及びキャリッジ３３の待機時間を増加させる動作については、省略してもよい。
【０１４５】
また、上述された実施形態に係るプリンタ部１１は、記録用紙３５の片面にのみ画像を記録可能なものであったが、プリンタ部１１は、記録用紙３５の両面に画像を記録可能なものであってもよい。そのために、プリンタ部１１は、片面に画像が記録された記録用紙３５の表裏面を反転させて再びプラテン４２上へ送る追加の搬送路及び搬送ローラを有していてもよい。
【０１４６】
また、上述の実施形態は、本発明を実施する形態のうちの一例にすぎない。つまり、本発明の趣旨を超えない範囲の様々な形態によって本発明を実施してもよい。
【符号の説明】
【０１４７】
１０・・・複合機（インクジェット記録装置）
１２・・・操作パネル（操作部）
１７・・・メディアセンサ
２４・・・記録部
３５・・・記録用紙
４２・・・プラテン
６０・・・第１搬送ローラ（搬送部）
６２・・・第２搬送ローラ（ローラ）
６３・・・拍車（従動ローラ）
５８・・・第１ローラ部（上流側挟持手段）
５９・・・第２ローラ部（下流側挟持手段）
７９・・・排紙保持部（トレイ）
８５・・・リブ（リブ、第２当接部）
９０・・・押さえ部材（当接部材、第１当接部）
１３０・・・制御部
１３２・・・ＲＯＭ（領域記憶部、位置記憶部）
Ｒ２・・・領域（所定領域）
【図１】
2014028483.tif 000003
【図２】
2014028483.tif 000004
【図３】
2014028483.tif 000005
【図４】
2014028483.tif 000006
【図５】
2014028483.tif 000007
【図６】
2014028483.tif 000008
【図７】
2014028483.tif 000009
【図８】
2014028483.tif 000010
【図９】
2014028483.tif 000011
【図１０】
2014028483.tif 000012